(57)【要約】【課題】  据え付け時における作業性の向上を図った水中ミキサ用据え付け装置を提供する。【解決手段】  据え付け装置１６は、コンクリートベース１７と、コンクリートベース１７に立設され、水中ミキサ１５が下降操作されるガイド杆１８を備える。コンクリートベース１７が上下方向に積み重ね可能とされた複数段の分割ベース体１７ａ、１７ｂ、１７ｃ、１７ｄから形成されている。各分割ベース体１７ａ、１７ｂ、１７ｃ、１７ｄは、下段の分割ベース体１７ａ、１７ｂ、１７ｃの上面に備えられた嵌合凹部２０ａ、２０ｂ、２０ｃとその上段の分割ベース体１７ｂ、１７ｃ、１７ｄの下面に備えられた嵌合凸部２１ａ、２１ｂ、２１ｃとのインロー結合により互いに積み重ね連結される構造とされている。【選択図】    図１
2005199150.tif 000002
【特許請求の範囲】
【請求項１】
コンクリートベースに立設されたガイド杆に沿って下降操作される水中ミキサが載置状に設置される水中ミキサ用据え付け装置において、
前記コンクリートベースが上下方向に積み重ね可能とされた複数段の分割ベース体から形成されていることを特徴とする水中ミキサ用据え付け装置。
【請求項２】
請求項１に記載の水中ミキサ用据え付け装置において、
前記各分割ベース体は、下段の前記分割ベース体の上部とその上段の前記分割ベース体の下部とがインロー結合により互いに積み重ね連結されることを特徴とする水中ミキサ用据え付け装置。
【請求項３】
請求項１または請求項２に記載の水中ミキサ用据え付け装置において、
前記各分割ベース体における最下段側から分割ベース体を取り除くことによって、前記コンクリートベースの高さ調整が可能とされたことを特徴とする水中ミキサ用据え付け装置。
【請求項４】
請求項１ないし請求項３のいずれかに記載の水中ミキサ用据え付け装置において、
前記コンクリートベースが据え付けられる設置部に突設されたアンカーボルトに、最下段の前記分割ベース体における側周壁で囲まれた底部が、ナット締結されて固定されることを特徴とする水中ミキサ用据え付け装置。
【発明の詳細な説明】
【技術分野】
【０００１】
本発明は、オキシデーションディッチ槽等に設置される水中ミキサを据え付けるための水中ミキサ用据え付け装置の改良に関するものである。
【背景技術】
【０００２】
従来、下水や廃水を活性汚泥法により浄化処理する水処理装置があり、例えば、図６に示されるような隔壁１で仕切られた両側の直線流路と、両直線流路の端部をそれぞれ互いに接続する円弧流路とを備えた長円形オキシデーションディッチ槽２を備え、これら直線流路や円弧流路により構成された循環水路内で水中ミキサ３の撹拌作用により、汚水を撹拌しつつ循環させ、適宜配置された曝気装置により曝気処理を行う構造とされていた。
【０００３】
また、図７にも示されるように、オキシデーションディッチ槽２の底部２ａに、コンクリートベース４が固定され、このコンクリートベース４の上部に、パイプ材等からなるガイド杆５が略垂直に立設され、ガイド杆５の上端部は固定架台６等に固定される構造とされていた。
【０００４】
そして、水中ミキサ３をガイド杆５に沿って吊下げチェーン等を使用して下降操作し、コンクリートベース４上に備えられた設置台７上に水中ミキサ３を載置することにより、水中ミキサ３が据え付けられる構造とされていた。
【０００５】
また、コンクリートベース４は、その下部に両側方に張り出された張り出し部４ａが、オキシデーションディッチ槽２の底部２ａに突設されたアンカーボルト８に、ナット９締結されて固定され、ガイド杆５の上端部はブラケット１０を介して固定架台６にネジ締結される構造とされていた。
【発明の開示】
【発明が解決しようとする課題】
【０００６】
そして、上下方向に立設された前記ガイド杆５は、その傾斜程度（いわゆる鉛直度）が厳格に要求され、１ｍ高さ当たり、１ｍｍ以内の傾斜に抑える必要があった。
【０００７】
このガイド杆５の傾斜量の調整に際しては、固定架台６が定位置であるため、ガイド杆５の上端部が固定架台６に固定された状態で、下端部のコンクリートベース４を前後左右に移動調整することによって、所望の鉛直度が確保されるようにコンクリートベース４の固定位置を決定していた。
【０００８】
しかしながら、上記従来の水中ミキサ３の据え付け構造によれば、基礎部分となるコンクリートベース４が一体成形されたコンクリートブロックからなるため、重量が嵩み、ガイド杆５の傾斜量調整の際、コンクリートベース４の移動調整が重労働となり、作業性に難点があった。
【０００９】
そこで、本発明の解決しようとする課題は、据え付け時における作業性の向上を図った水中ミキサ用据え付け装置を提供することにある。
【課題を解決するための手段】
【００１０】
上記課題を解決するための技術的手段は、コンクリートベースに立設されたガイド杆に沿って下降操作される水中ミキサが載置状に設置される水中ミキサ用据え付け装置において、前記コンクリートベースが上下方向に積み重ね可能とされた複数段の分割ベース体から形成されている点にある。
【００１１】
また、前記各分割ベース体は、下段の分割ベース体の上部とその上段の分割ベース体の下部とがインロー結合により互いに積み重ね連結される構造としてもよい。
【００１２】
さらに、前記各分割ベース体における下段側の分割ベース体を取り除くことによって、前記コンクリートベースの高さ調整が可能とされた構造としてもよい。
【００１３】
また、前記コンクリートベースが据え付けられる設置部に突設されたアンカーボルトに、最下段の前記分割ベース体における側周壁で囲まれた底部が、ナット締結されて固定される構造としてもよい。
【発明の効果】
【００１４】
請求項１に記載の水中ミキサ用据え付け装置によれば、コンクリートベースが上下方向に積み重ね可能とされた複数段の分割ベース体から形成されているため、一体成形の場合と比較して、各分割ベース体に重量が分散され、搬送時や据え付け時の単体での取扱い重量を軽減でき、移動調整が容易となり、据え付け時等の作業性の向上が図れる。
【００１５】
さらに、複数段の積み重ね構造としているため、各分割ベース体の積み重ね数の変更によりコンクリートベース全体としての高さ調整が可能となり、水中ミキサの羽根径に応じたコンクリートベースの高さ調整に容易に対応でき、汎用性に優れる利点もある。
【００１６】
また、請求項２に記載の水中ミキサ用据え付け装置によれば、請求項１に記載の水中ミキサ用据え付け装置において、各分割ベース体は、下段の分割ベース体の上部とその上段の分割ベース体の下部とがインロー結合により互いに積み重ね連結される構造とされているため、各分割ベース体相互間の連結がインロー結合により順次積み重ねていくことによって容易に連結できる利点がある。
【００１７】
さらに、請求項３に記載の水中ミキサ用据え付け装置によれば、請求項１または請求項２に記載の水中ミキサ用据え付け装置において、各分割ベース体における最下段側から分割ベース体を取り除くことによって、コンクリートベースの高さ調整が可能とされた構造とされているため、各分割ベース体相互間の積み重ね構造の簡素化が図れる。
【００１８】
また、請求項４に記載の水中ミキサ用据え付け装置によれば、請求項１ないし請求項３のいずれかに記載の水中ミキサ用据え付け装置において、コンクリートベースが据え付けられる設置部に突設されたアンカーボルトに、最下段の分割ベース体における側周壁で囲まれた底部が、ナット締結されて固定される構造とされているため、分割ベース体の外部にアンカーボルトやナットが露出せず、外観向上が図れると共に、異物の引っ掛かりも有効に防止できる。
【発明を実施するための最良の形態】
【００１９】
以下、本発明の実施形態を図面に基づいて説明すると、図１ないし図４は、例えば、前述のようなオキシデーションディッチ槽に据え付けられる水中ミキサ１５が設置される据え付け装置１６を示しており、据え付け装置１６は、コンクリートベース１７と、コンクリートベース１７に立設されたパイプ材等からなる適宜長さのガイド杆１８とから主構成されている。
【００２０】
前記コンクリートベース１７は、上下方向に積み重ね可能とされた複数段（本実施形態では４段）のコンクリートブロックからなる分割ベース体１７ａ、１７ｂ、１７ｃ、１７ｄから構成されており、各分割ベース体１７ａ、１７ｂ、１７ｃ、１７ｄは下端部より上方向に漸次幅狭となる構造とされいる。
【００２１】
そして、各分割ベース体１７ａ、１７ｂ、１７ｃ、１７ｄは、下段に位置する分割ベース体１７ａ、１７ｂ、１７ｃ、の上部、即ち上面に、それぞれ適宜開口面積を有する嵌合凹部２０ａ、２０ｂ、２０ｃが形成されると共に、その上段に位置する分割ベース体１７ｂ、１７ｃ、１７ｄの下部、即ち下面に、それぞれ対応する前記嵌合凹部２０ａ、２０ｂ、２０ｃに嵌脱自在に嵌合される嵌合凸部２１ａ、２１ｂ、２１ｃが形成されており、各嵌合凹部２０ａ、２０ｂ、２０ｃと各嵌合凸部２１ａ、２１ｂ、２１ｃとのいわゆるインロー結合により積み重ねることによって互いに連結される構造とされている。
【００２２】
また、本実施形態においては、図４に示されるように、最下段の分割ベース体１７ａおよび二段目の分割ベース体１７ｂは、周囲に環状の側周壁２３ａ、２３ｂを備え、側周壁２３ａ、２３ｂで囲まれた下部に底部２４ａ、２４ｂを備え、上部に嵌合凹部２０ａ、２０ｂが開口された上方開放の有底ハウジング構造とされている。
【００２３】
そして、各分割ベース体１７ａ、１７ｂの底部２４ａ、２４ｂには、コンクリートベース１７が据え付けられる設置部に突設されるアンカーボルト２５が、それぞれ遊挿される上下方向貫通状のボルト挿通孔２６ａ、２６ｂが適宜数（例えば前後左右に４個所）形成されている。
【００２４】
また、本実施形態においては、下から２段目の分割ベース体１７ｂの一側部に、ガイド杆１８が一体的に立設された構造とされており、ガイド杆１８の側部で上側の他の分割ベース体１７ｃ、１７ｄが順次積み重ねられる構造とされている。
【００２５】
さらに、最上段の分割ベース体１７ｄには、上下方向貫通状の嵌合孔２７が形成されており、該嵌合孔２７にゴム等の可撓材からなるミキサ設置部２８の下面に突設された嵌合凸部２８ａが嵌脱自在に嵌合されて載置状に連結される構造とされている。
【００２６】
この際、ミキサ設置部２８の上部は、図４に示される如く、断面半円状に形成されており、水中ミキサ１５が支持される支持台３０下面の円形凹部が、ミキサ設置部２８上面に嵌合状に載置される構造とされている。
【００２７】
また、水中ミキサ１５は、互いに連結されたモーター部１５ａと減速装置部１５ｂと羽根部１５ｃとからなり、前記支持台３０に固定支持されている。そして、支持台３０の一側部には、ガイド杆１８に沿って水中ミキサ１５を昇降案内するための昇降ガイド３０ａが備えられている。
【００２８】
そして、この水中ミキサ１５の据え付けに際しては、例えば、オキシデーションディッチ槽の設置部としての据え付け位置に対応する底部に、据え付けられるコンクリートベース１７における最下段の分割ベース体１７ａの各ボルト挿通孔２６ａに対応させてアンカーボルト２５を突設させて据え付け基礎を構成する。
【００２９】
その後、突設する各アンカーボルト２５を分割ベース体１７ａの各ボルト挿通孔２６ａに遊挿状として分割ベース体１７ａを設置し、この分割ベース体１７ａの嵌合凹部２０ａにその上段の分割ベース体１７ｂにおける嵌合凸部２１ａを嵌合させて連結する。
【００３０】
この状態で、ガイド杆１８の上端部に装着されたブラケット３１を固定架台３２にネジ締結して、ガイド杆１８の上端部を所定位置に固定する。
【００３１】
次に、このガイド杆１８上端部の固定状態で、ガイド杆１８の鉛直度が許容範囲内となるように下部の分割ベース体１７ａ、１７ｂを前後左右に移動調整する。そして、所望の鉛直度が得られれば、ブラケット３１の固定を一旦解除し、分割ベース体１７ａ上よりその上段の分割ベース体１７ｂを取り除き、分割ベース体１７ａにおける底部２４ａの各ボルト挿通孔２６ａより突出状とされている各アンカーボルト２５にナットを締結して、最下段の分割ベース体１７ａをその位置に固定する。
【００３２】
その後、分割ベース体１７ａ上に分割ベース体１７ｂを再度、嵌合させて連結すると共に、分割ベース体１７ｂの嵌合凹部２０ｂにその上段の分割ベース体１７ｃの嵌合凸部２１ｂを嵌合させて連結する。そして、その分割ベース体１７ｃの嵌合凹部２０ｃにも最上段のミキサ設置部２８が装着された分割ベース体１７ｄの嵌合凸部２１ｃを嵌合させれば、各分割ベース体１７ａ、１７ｂ、１７ｃ、１７ｄが互いに積み重ねられた状態で連結されたコンクリートベース１７が構成される。
【００３３】
そして、ガイド杆１８上端部のブラケット３１を再度、固定架台３２に固定すれば、据え付け装置１６の設置が完了する。
【００３４】
この据え付け装置１６のガイド杆１８に沿って、昇降ガイド３０ａによる案内下、水中ミキサ１５を吊下げワイヤ等により下降操作して支持台３０下面の円形凹部を、ミキサ設置部２８上面に嵌合状に載置すれば、水中ミキサ１５の据え付け作業が完了する。
【００３５】
本実施形態は以上のように構成されており、コンクリートベース１７が上下方向に積み重ね可能とされた複数段の分割ベース体１７ａ、１７ｂ、１７ｃ、１７ｄから形成されているため、従来のようにコンクリートベース４が一体成形されている単体構造の場合と比較して、各分割ベース体１７ａ、１７ｂ、１７ｃ、１７ｄに重量が分散され、搬送時や据え付け時の各単体での取扱い重量を軽減でき、作業性の向上が図れる。
【００３６】
そして、据え付け時におけるガイド杆１８の鉛直度の調整に際しては、全ての分割ベース体１７ａ、１７ｂ、１７ｃ、１７ｄを積み重ねる必要がなく、必要数の分割ベース体１７ａ、１７ｂを積み重ねて移動調整を行えばよく、移動調整に際しての重量軽減が図れるため、移動調整が容易となり、据え付け時の作業性の向上が図れる。
【００３７】
また、図２に示されるように、大きな羽根径Ｒの水中ミキサ１５の場合には、本実施形態のように４段の分割ベース体１７ａ、１７ｂ、１７ｃ、１７ｄを積み重ねてコンクリートベース１７を構成しているが、図５に示されるように、小さな羽根径ｒの水中ミキサ１５の場合には、最下段の分割ベース体１７ａを取り除いた残りの３段の分割ベース体１７ｂ、１７ｃ、１７ｄを積み重ねてコンクリートベース１７を構成すればよく、各分割ベース体１７ａ、１７ｂ、１７ｃ、１７ｄの積み重ね数の変更によりコンクリートベース１７全体としての高さ調整が可能となり、水中ミキサ１５の羽根径Ｒ、ｒに応じたコンクリートベース１７の高さ調整に容易に対応でき、ここに、オキシデーションディッチ槽の深さや使用目的に応じて容易に対応でき、汎用性に優れる利点がある。
【００３８】
さらに、各分割ベース体１７ａ、１７ｂ、１７ｃ、１７ｄは、下段の分割ベース体１７ａ、１７ｂ、１７ｃの上部とその上段の分割ベース体１７ｂ、１７ｃ、１７ｄの下部とに備えられた嵌合凹部２０ａ、２０ｂ、２０ｃと嵌合凸部２１ａ、２１ｂ、２１ｃとのインロー結合により互いに積み重ね連結される構造とされているため、各分割ベース体１７ａ、１７ｂ、１７ｃ、１７ｄ相互間の連結はインロー結合により順次積み重ねていくことによって行え、連結作業が容易に行える利点がある。
【００３９】
また、各分割ベース体１７ａ、１７ｂ、１７ｃ、１７ｄにおける最下段側から分割ベース体１７ｄを取り除くことによって、コンクリートベース１７の高さ調整が可能とされた構造とされているため、残りの各分割ベース体１７ｂ、１７ｃ、１７ｄ相互間の積み重ね構造を何ら変更する必要がなく、各分割ベース体１７ａ、１７ｂ、１７ｃ、１７ｄ相互間の積み重ね構造の簡素化が図れる。
【００４０】
さらに、コンクリートベース１７が据え付けられる設置部に突設されたアンカーボルト２５に、最下段の分割ベース体１７ａ、１７ｂが固定されるに際して、分割ベース体１７ａ、１７ｂの内部で固定する構造としているため、アンカーボルト２５やナットが外部に露出せず、従来のようにコンクリートベース４の外周部でアンカーボルト８にナット９締結する構造のものと比較して、外観向上が図れると共に、固定用のアンカーボルト２５やナットで循環する汚水の流れを乱すこともなく、アンカーボルト２５やナットに対する汚水中に含まれる異物の引っ掛かりも有効に防止できる。
【００４１】
また、複数段の分割ベース体１７ａ、１７ｂ、１７ｃ、１７ｄを任意の組み合わせにより積み重ねることによってコンクリートベース１７の高さ調整が可能に構成されているため、少ない在庫で水中ミキサ１５の羽根径Ｒ、ｒ等に応じた幅広い対応が可能となり、生産性の向上が図れる。
【００４２】
さらに、分割ベース体１７ａ、１７ｂ、１７ｃ、１７ｄの高さも各種の高さを準備しておけば、任意の組み合わせによりコンクリートベース１７の高さ調整もより多くのバリエーションが得られる利点もある。
【００４３】
また、ゴム等の可撓材からなるミキサ設置部２８上に、水中ミキサ１５を支持する支持台３０下面の円形凹部が嵌合状に載置されて設置される構造であるため、設置安定性にも優れる利点がある。
【００４４】
なお、上記実施形態においては、ガイド杆１８が立設された分割ベース体１７ｂの下側に単一の分割ベース体１７ａが配置される構造を示しているが、分割ベース体１７ｂの下側に複数段の分割ベース体がさらに配置される構造としてもよく、この場合においてもより多くのコンクリートベース１７の高さ調整のバリエーションが得られる。
【００４５】
さらには、最下段の分割ベース体１７ａとして各種の高さの分割ベース体１７ａを準備しておく構造としてもよく、この場合においてもより多くのコンクリートベース１７の高さ調整のバリエーションが得られる。
【００４６】
また、各分割ベース体１７ａ、１７ｂ、１７ｃ、１７ｄの外形形状も実施形態のものに限られず、適宜形状に形成すればよい。
【００４７】
さらに、本実施形態では、オキシデーションディッチ槽に据え付けられる構造を示しているが、人工池等の水中に設置される構造であってもよく、何ら実施形態に限られない。
【図面の簡単な説明】
【００４８】
【図１】本発明の実施形態を示す分解斜視図である。
【図２】同据え付け状態の側面図である。
【図３】同正面図である。
【図４】同コンクリートベース部分の断面拡大正面図である。
【図５】別の据え付け状態の側面図である。
【図６】従来構造を示す説明図である。
【図７】同据え付け状態の側面図である。
【符号の説明】
【００４９】
１５  水中ミキサ
１６  据え付け装置
１７  コンクリートベース
１７ａ、１７ｂ、１７ｃ、１７ｄ  分割ベース体
１８  ガイド杆
２０ａ、２０ｂ、２０ｃ  嵌合凹部
２１ａ、２１ｂ、２１ｃ  嵌合凸部
２３ａ、２３ｂ  側周壁
２４ａ、２４ｂ  底部
２５  アンカーボルト
【図１】
2005199150.tif 000003
【図２】
2005199150.tif 000004
【図３】
2005199150.tif 000005
【図４】
2005199150.tif 000006
【図５】
2005199150.tif 000007
【図６】
2005199150.tif 000008
【図７】
2005199150.tif 000009